(57)【要約】  実施形態は、モバイル通信システムにおいて伝送ポイントを制御するための装置、方法、およびコンピュータ・プログラムを提供している。装置１０は、モバイル通信システム３００において伝送ポイント２００、２１０、２２０、２３０、２４０、２５０を制御するように動作可能である。モバイル通信システム３００は、複数の伝送ポイント２００、２１０、２２０、２３０、２４０、２５０を備えており、これらの伝送ポイントは、モバイル・トランシーバ４００と無線信号を通信するように動作可能である。装置１０は、伝送ポイントのクラスタ５００を形成するための手段１２を備えており、伝送ポイントのクラスタ５００は、複数の伝送ポイント２００、２１０を備えており、クラスタ５００の伝送ポイント２００、２１０は、共通の参照信号を使用している。
2015513849.tif 000002
【特許請求の範囲】
【請求項１】
モバイル通信システム（３００）において伝送ポイント（２００；  ２１０；  ２２０；  ２３０；  ２４０；  ２５０）を制御するための装置（１０）であって、前記モバイル通信システム（３００）は、モバイル・トランシーバ（４００）と無線信号を通信するように動作可能な複数の伝送ポイント（２００；  ２１０；  ２２０；  ２３０；  ２４０；  ２５０）を備えており、前記装置（１０）は、
伝送ポイントのクラスタ（５００）を形成するための手段（１２）を備えており、伝送ポイントの前記クラスタ（５００）は、複数の伝送ポイント（２００；  ２１０）を備えており、前記クラスタ（５００）の前記伝送ポイント（２００；  ２１０）は、共通の参照信号を使用しており、前記参照信号は、前記クラスタ（５００）の前記伝送ポイント（２００；  ２１０）に共通であり、位相調整または振幅調整、あるいは両方は、前記クラスタ（５００）の１つまたは複数の伝送ポイント（２００；  ２１０）において前記参照信号の上で実行され、
前記装置（１０）は、さらに、前記伝送ポイント（２００；  ２１０）が、前記クラスタ（５００）の前記伝送ポイント（２００；  ２１０）と前記モバイル・トランシーバ（４００）との間で確立されている共同の無線チャネルが前記モバイル・トランシーバ（４００）により前記共通の参照信号に基づいて測定可能であるように、前記共通の参照信号を提供するように、前記伝送ポイント（２００；  ２１０）を制御するように動作可能である、装置（１０）。
【請求項２】
前記クラスタ（５００）の前記伝送ポイント（２００；  ２１０）のおのおのは、同じセル識別情報を使用し、かつ／または前記装置（１０）は、さらに、前記伝送ポイント（２００；  ２１０）が、ブロードキャスト信号を送信するための同じスクランブル・コードを使用してセル識別情報を示すように動作可能であるように、前記伝送ポイント（２００；  ２１０）を制御するように動作可能である、請求項１に記載の装置（１０）。
【請求項３】
さらに、前記伝送ポイント（２００；  ２１０）が、前記モバイル・トランシーバ（４００）に対して１つの無線セルとして見えるように、前記伝送ポイント（２００；  ２１０）を制御するように動作可能である、請求項１に記載の装置（１０）。
【請求項４】
前記共通の参照信号は、セル−特有の参照信号または復調参照信号に対応する、請求項１に記載の装置（１０）。
【請求項５】
さらに、前記モバイル・トランシーバ（４００）から前記共同の無線チャネルの上のチャネル品質についての情報を受信するように動作可能である、請求項１に記載の装置（１０）。
【請求項６】
さらに、前記共同の無線チャネルの前記チャネル品質についての前記情報に基づいて前記モバイル・トランシーバ（４００）と伝送ポイント（２００；  ２１０）の前記クラスタ（５００）との間のデータ伝送のために前記モバイル・トランシーバ（４００）をスケジュールするように動作可能である、請求項５に記載の装置（１０）。
【請求項７】
伝送ポイント（２００；  ２１０）の前記クラスタ（５００）を形成するための前記手段（１２）は、前記クラスタ（５００）についての前記伝送ポイント（２００；  ２１０）をランダムに選択するように動作可能である、請求項１に記載の装置（１０）。
【請求項８】
伝送ポイント（２００；  ２１０）の前記クラスタ（５００）を形成するための前記手段（１２）は、過去に形成されている１つまたは複数のクラスタの性能についての情報に基づいて前記クラスタ（５００）についての前記伝送ポイント（２００；  ２１０）を選択するように動作可能である、請求項１に記載の装置（１０）。
【請求項９】
形成するための前記手段（１２）は、前記クラスタ（５００）についての無線チャネル統計データについての情報を記憶するように動作可能である、請求項５に記載の装置（１０）。
【請求項１０】
形成するための前記手段（１２）は、異なるクラスタ（５００）についての前記モバイル・トランシーバ（４００）の性能についての情報を記憶するように動作可能である、請求項５に記載の装置（１０）。
【請求項１１】
さらに、前記クラスタ（５００）の前記伝送ポイント（２００；  ２１０）が、前記モバイル・トランシーバ（４００）と共同して通信するように動作可能であるように、前記伝送ポイント（２００；  ２１０）を制御するように動作可能である、請求項１に記載の装置（１０）。
【請求項１２】
前記クラスタ（５００）の前記伝送ポイント（２００；  ２１０）と、前記モバイル・トランシーバ（４００）との間で通信される前記信号は、共同して処理される、請求項１に記載の装置（１０）。
【請求項１３】
モバイル通信システム（３００）において伝送ポイント（２００；  ２１０；  ２２０；  ２３０；  ２４０；  ２５０）を制御するための方法であって、前記モバイル通信システム（３００）は、モバイル・トランシーバ（４００）と無線信号を通信するように動作可能な複数の伝送ポイント（２００；  ２１０；  ２２０；  ２３０；  ２４０；  ２５０）を備えており、前記方法は、
伝送ポイント（２００；  ２１０）のクラスタ（５００）を形成するステップ（２２）であって、伝送ポイント（２００；  ２１０）の前記クラスタ（５００）は、複数の伝送ポイント（２００；  ２１０）を備えており、前記クラスタ（５００）の前記伝送ポイント（２００；  ２１０）は、共通の参照信号を使用しており、前記参照信号は、前記クラスタ（５００）の前記伝送ポイント（２００；  ２１０）に共通であり、位相調整または振幅調整、あるいは両方は、前記クラスタ（５００）の１つまたは複数の伝送ポイント（２００；  ２１０）において前記参照信号の上で実行される、形成するステップ（２２）と、
前記伝送ポイント（２００；  ２１０）が、前記クラスタ（５００）の前記伝送ポイント（２００；  ２１０）と前記モバイル・トランシーバ（４００）との間で確立されている共同の無線チャネルが前記モバイル・トランシーバ（４００）により前記共通の参照信号に基づいて測定可能であるように、前記共通の参照信号を提供するように、前記伝送ポイント（２００；  ２１０）を制御するステップと
を含む方法。
【請求項１４】
コンピュータ・プログラムが、コンピュータまたはプロセッサの上で実行されるときに、請求項１３に記載の方法を実行するためのプログラム・コードを有するコンピュータ・プログラム。
【発明の詳細な説明】
【技術分野】
【０００１】
本発明の実施形態は、通信ネットワークに関し、より詳細には、排他的ではないが、モバイル通信ネットワークにおけるリソース割付けに関する。
【背景技術】
【０００２】
モバイル・デバイスのためのより高速のデータ・レートについての要求が、絶え間なく増大している。同時に、第３世代システム（３Ｇ）と第４世代システム（４Ｇ）のような現代のモバイル通信システムは、強化された技術を提供しており、これらの強化された技術は、より高いスペクトル効率を可能にしており、またより高いデータ・レートと、セル容量とを可能にしている。オペレータが、自らのネットワークのカバレッジと容量とを拡大しようとしているので、進化した伝送の概念が将来のための１つの手段となる。
【０００３】
これらの進化した伝送の概念のうちのいくつかは、共同のユーザ・スケジューリングを含むこともあり、すなわち、通信ネットワークのユーザまたはモバイル・トランシーバは、データの送信および／または受信のために共同してスケジュールされる。セル・クラスタリングは、別の概念であり、そこでは、セルは、モバイル・トランシーバに対する同時伝送のためにグループ分けされ、またはクラスタ化され、次いでこれは、ダイバーシティと結合利得（ｃｏｍｂｉｎｉｎｇ  ｇａｉｎｓ）とを利用することができる。さらに、ビーム形成や多入力多出力（ＭＩＭＯ：Ｍｕｌｔｉｐｌｅ−Ｉｎｐｕｔ−Ｍｕｌｔｉｐｌｅ−Ｏｕｔｐｕｔ）伝送など、進化したアンテナの概念は、事前符号化係数算出方法を使用することができ、この事前符号化係数算出方法は、複数のトランシーバを考慮する。いくつかの概念においては、中央論理エンティティは、協調させられたセルのクラスタを共同して形成し、ユーザを選択し、またビーム形成係数と、電力割付けとを算出することができる。
【先行技術文献】
【特許文献】
【０００４】
【特許文献１】欧州特許出願第ＥＰ１２３０５２４０．９
【特許文献２】ＷＯ  ２０１０／０１６８６５  Ａ１
【非特許文献】
【０００５】
【非特許文献１】Ｐ．  ＭａｒｓｃｈおよびＧ．  Ｆｅｔｔｗｅｉｓ、「Ａ  Ｆｒａｍｅｗｏｒｋ  ｆｏｒ  Ｏｐｔｉｍｉｚｉｎｇ  ｔｈｅ  Ｕｐｌｉｎｋ  Ｐｅｒｆｏｒｍａｎｃｅ  ｏｆ  Ｄｉｓｔｒｉｂｕｔｅｄ  Ａｎｔｅｎｎａ  Ｓｙｓｔｅｍｓ  ｕｎｄｅｒ  ａ  Ｃｏｎｓｔｒａｉｎｅｄ  Ｂａｃｋｈａｕｌ」、Ｐｒｏｃ．  Ｏｆ  ＩＣＣ、２００７年４月
【非特許文献２】Ｐ．  ＭａｒｓｃｈおよびＧ．  Ｆｅｔｔｗｅｉｓ、「Ａ  Ｆｒａｍｅｗｏｒｋ  ｆｏｒ  Ｏｐｔｉｍｉｚｉｎｇ  ｔｈｅ  Ｄｏｗｎｌｉｎｋ  Ｐｅｒｆｏｒｍａｎｃｅ  ｏｆ  Ｄｉｓｔｒｉｂｕｔｅｄ  Ａｎｔｅｎｎａ  Ｓｙｓｔｅｍｓ  ｕｎｄｅｒ  ａ  Ｃｏｎｓｔｒａｉｎｅｄ  Ｂａｃｋｈａｕｌ」、Ｐｒｏｃ．  ｏｆ  ＥＷ、２００７年４月
【非特許文献３】Ｓ．  Ｖｅｎｋａｔｅｓａｎ、「Ｃｏｏｒｄｉｎａｔｉｎｇ  ｂａｓｅ  ｓｔａｔｉｏｎｓ  ｆｏｒ  ｇｒａｔｅｒ  ｕｐｌｉｎｋ  ｓｐｅｃｔｒａｌ  ｅｆｆｉｃｉｅｎｃｙ  ｉｎ  ａ  ｃｅｌｌｕｌａｒ  ｓｙｓｔｅｍｓ」、Ｐｒｏｃ．  ｏｆ  ＰＩＭＲＣ、２００７年９月
【非特許文献４】Ｆ．  Ｒａｓｈｉｄ−Ｆａｒｒｏｋｈｉ、Ｌ．  ＴａｓｓｉｕｌａｓおよびＫ．Ｊ．Ｒ．  Ｌｉｕ、「Ｊｏｉｎｔ  ｏｐｔｉｍａｌ  ｐｏｗｅｒ  ｃｏｎｔｒｏｌ  ａｎｄ  ｂｅａｍｆｏｒｍｉｎｇ  ｉｎ  ｗｉｒｅｌｅｓｓ  ｎｅｔｗｏｒｋｓ  ｕｓｉｎｇ  ａｎｔｅｎｎａ  ａｒｒａｙｓ」、ＩＥＥＥ  Ｔｒａｎｓ．  Ｃｏｍｍｕｎ．、４６巻、１３１３〜１３２４頁、１９９８年１０月
【非特許文献５】Ａ．  Ｐａｐａｄｏｇｉａｎｎｉｓ、Ｄ．  ＧｅｓｂｅｒｔおよびＥ．  Ｈａｒｄｏｕｉｎ、「Ａ  ｄｙｎａｍｉｃ  ｃｌｕｓｔｅｒｉｎｇ  ａｐｐｒｏａｃｈ  ｉｎ  ｗｉｒｅｌｅｓｓ  ｎｅｔｗｏｒｋｓ  ｗｉｔｈ  ｍｕｌｔｉ−ｃｅｌｌ  ｃｏｏｐｅｒａｔｉｖｅ  ｐｒｏｃｅｓｓｉｎｇ」、Ｐｒｏｃ．  ｏｆ  ＩＣＣ  ０８
【非特許文献６】３ＧＰＰ仕様の技術仕様（ＴＳ）２５．３３１／３６．３３１シリーズ
【非特許文献７】ＬＴＥリリース（ＬＴＥ  Ｒｅｌｅａｓｅ）１０  ＲＳ
【非特許文献８】３ＧＰＰリリース（３ＧＰＰ  Ｒｅｌｅａｓｅ）１０  ＬＴＥ
【発明の概要】
【課題を解決するための手段】
【０００６】
実施形態は、進化した伝送の概念が、クラウド・アーキテクチャと組み合わされ得るという知見に基づいている。例えば、モバイル通信システムの無線アクセス・ネットワーク（ＲＡＮ：Ｒａｄｉｏ  Ａｃｃｅｓｓ  Ｎｅｔｗｏｒｋ）は、クラウド−ＲＡＮ（Ｃ−ＲＡＮ）として実装されることもある。Ｃ−ＲＡＮにおいては、クラウド・コンピューティングが、利用されることもあり、すなわち、処理リソースは、中央集中されたネットワーク・エンティティにおいて提供され、また無線フロント・エンドは、リモート・ユニットまたは伝送ポイントとして提供される。伝送ポイントは、光ファイバなどの高容量データ回線を使用した処理リソースを備える中央ユニットと結合される可能性がある。中央集中されたネットワーク・エンティティにおける処理リソースはまた、ベース・バンド・ユニット（ＢＢＵ：Ｂａｓｅ  Ｂａｎｄ  Ｕｎｉｔｓ）またはベース・バンド処理ユニットと称されることもある。伝送ポイント（ＴＰ：Ｔｒａｎｓｍｉｓｓｉｏｎ  Ｐｏｉｎｔｓ）は、無線フロント・エンドを備えており、また無線信号を送信し、また受信するための１つまたは複数のアンテナを動作させることができる。
【０００７】
中央ユニット（ＣＵ：Ｃｅｎｔｒａｌ  Ｕｎｉｔ）に接続された異なるＴＰは、クラスタへとグループ分けされる可能性があり、また各クラスタは、ネットワークへの１組の処理リソースへと動的にマッピングされる可能性があることが、別の知見である。同じＴＰは、異なるクラスタに属することができ、またこのようにして、ＴＰによって受信される信号は、ネットワークの内部の異なる処理リソースへとルーティングされる可能性がある（送信される信号の場合に同等の）。より詳細は、欧州特許出願第ＥＰ１２３０５２４０．９の中で見出され得る。ＴＰクラスタは、エア・インターフェースの中にあまりにも高い計算の複雑さと、あまりにも高いシグナリングオーバーヘッドとを導入することなく、効率的に生成され得ることが、さらなる知見である。
【０００８】
別の知見によれば、ＴＰクラスタリングの問題は、ユーザ・スケジューリングと、マルチ・アンテナ送信／受信ビーム形成と、電力制御との問題につながる。それゆえに、この問題の最適な問題解決手法は、プロトコル・スタックの異なるレベルにおいて異なる下位の問題の共同の最適な問題解決手法を必要とするであろう。それゆえに、文献においては、共同の問題は、通常、異なる下位の問題へと分解され、これらの下位の問題のうちの１つは、動的クラスタリングである。
【０００９】
Ｐ．  ＭａｒｓｃｈおよびＧ．  Ｆｅｔｔｗｅｉｓ、「Ａ  Ｆｒａｍｅｗｏｒｋ  ｆｏｒ  Ｏｐｔｉｍｉｚｉｎｇ  ｔｈｅ  Ｕｐｌｉｎｋ  Ｐｅｒｆｏｒｍａｎｃｅ  ｏｆ  Ｄｉｓｔｒｉｂｕｔｅｄ  Ａｎｔｅｎｎａ  Ｓｙｓｔｅｍｓ  ｕｎｄｅｒ  ａ  Ｃｏｎｓｔｒａｉｎｅｄ  Ｂａｃｋｈａｕｌ」、Ｐｒｏｃ．  Ｏｆ  ＩＣＣ、２００７年４月と、Ｐ．  ＭａｒｓｃｈおよびＧ．  Ｆｅｔｔｗｅｉｓ、「Ａ  Ｆｒａｍｅｗｏｒｋ  ｆｏｒ  Ｏｐｔｉｍｉｚｉｎｇ  ｔｈｅ  Ｄｏｗｎｌｉｎｋ  Ｐｅｒｆｏｒｍａｎｃｅ  ｏｆ  Ｄｉｓｔｒｉｂｕｔｅｄ  Ａｎｔｅｎｎａ  Ｓｙｓｔｅｍｓ  ｕｎｄｅｒ  ａ  Ｃｏｎｓｔｒａｉｎｅｄ  Ｂａｃｋｈａｕｌ」、Ｐｒｏｃ．  ｏｆ  ＥＷ、２００７年４月とにおいては、著者らは、ユーザが、直交リソースを使用してグループへと分割されるように、アップリンク伝送と、ダウンリンク伝送とについてのアプローチを考慮する。共同の検出は、同じグループに属するユーザの間で使用される可能性がある。弱いユーザ（すなわち、セルのエッジにおけるユーザ）は、一緒にグループ分けされる可能性があり、またＴＰの協調は、バックホールの上の制約条件が、達成されるまで、弱いユーザから開始して実現されることもある。グループ分けは、チャネルの瞬間的なダイナミクスを活用することなく、平均のチャネル状態情報だけを考慮して実現される可能性がある。
【００１０】
Ｓ．  Ｖｅｎｋａｔｅｓａｎ、「Ｃｏｏｒｄｉｎａｔｉｎｇ  ｂａｓｅ  ｓｔａｔｉｏｎｓ  ｆｏｒ  ｇｒａｔｅｒ  ｕｐｌｉｎｋ  ｓｐｅｃｔｒａｌ  ｅｆｆｉｃｉｅｎｃｙ  ｉｎ  ａ  ｃｅｌｌｕｌａｒ  ｓｙｓｔｅｍｓ」、Ｐｒｏｃ．  ｏｆ  ＰＩＭＲＣ、２００７年９月は、アップリンク問題に言及するＴＰ選択アルゴリズムを提示している。目標は、電力を最小にして、等しいレートの要件を達成することである。電力の割付けと、受信（線形）ビーム形成と、クラスタ割当てとは、Ｆ．  Ｒａｓｈｉｄ−Ｆａｒｒｏｋｈｉ、Ｌ．  ＴａｓｓｉｕｌａｓおよびＫ．Ｊ．Ｒ．  Ｌｉｕ、「Ｊｏｉｎｔ  ｏｐｔｉｍａｌ  ｐｏｗｅｒ  ｃｏｎｔｒｏｌ  ａｎｄ  ｂｅａｍｆｏｒｍｉｎｇ  ｉｎ  ｗｉｒｅｌｅｓｓ  ｎｅｔｗｏｒｋｓ  ｕｓｉｎｇ  ａｎｔｅｎｎａ  ａｒｒａｙｓ」、ＩＥＥＥ  Ｔｒａｎｓ．  Ｃｏｍｍｕｎ．、４６巻、１３１３〜１３２４頁、１９９８年１０月によって提案されるアルゴリズムの拡張を使用して共同して実現される。この仕事の制限は、チャネル状態を変更することに関してのダイバーシティの欠如である。
【００１１】
Ａ．  Ｐａｐａｄｏｇｉａｎｎｉｓ、Ｄ．  ＧｅｓｂｅｒｔおよびＥ．  Ｈａｒｄｏｕｉｎ、「Ａ  ｄｙｎａｍｉｃ  ｃｌｕｓｔｅｒｉｎｇ  ａｐｐｒｏａｃｈ  ｉｎ  ｗｉｒｅｌｅｓｓ  ｎｅｔｗｏｒｋｓ  ｗｉｔｈ  ｍｕｌｔｉ−ｃｅｌｌ  ｃｏｏｐｅｒａｔｉｖｅ  ｐｒｏｃｅｓｓｉｎｇ」、Ｐｒｏｃ．  ｏｆ  ＩＣＣ  ０８においては、動的クラスタリング技法が、アップリンク伝送について考慮されて、重み付けされた合計−レートを最大にする。タイム・スロットごとに、セル当たりに１人のユーザが、ラウンド・ロビン・スケジューリングを使用して選択される。そのタイム・スロットにおいて、またこれらの特定の選択されたユーザについて、アルゴリズムは、最良のベースを選択して、共同の結合を使用してこれらのユーザにサービスする。
【００１２】
文書ＷＯ  ２０１０／０１６８６５  Ａ１は、クラスタリングと、ユーザ・スケジューリングとが、共同で解決されて、共通のメトリックを最大にする手法を開示している。動的なＴＰクラスタリングについての現在の問題解決手法は、それらの複雑さのために依然として非実用的である。１つの問題は、従来の概念を伴ってくるフィードバックのオーバーヘッドである。実際のところ、最適なクラスタリングを共同して生成し、またユーザの便利な組をスケジュールするために、プロセスを担当する論理的中央ユニットは、各ＴＰから各ユーザへとチャネル状態情報（ＣＳＩ：Ｃｈａｎｎｅｌ  Ｓｔａｔｅ  Ｉｎｆｏｒｍａｔｉｏｎ）を使用すべきである。アップリンク時分割二重化／周波数分割二重化（ＴＤＤ；Ｔｉｍｅ  Ｄｉｖｉｓｉｏｎ  Ｄｕｐｌｅｘ／ＦＤＤ：Ｆｒｅｑｕｅｎｃｙ  Ｄｉｖｉｓｉｏｎ  Ｄｕｐｌｅｘ）システムとダウンリンクＴＤＤシステムとにおいては、これは、実現可能であるが、適切に設計された参照信号を仮定すると、ダウンリンクＦＤＤシステムにおいては、それは、大きなフィードバックのオーバーヘッドを必要とする。各ＵＥは、各候補のＴＰポイントごとに、複数個のフィードバック情報を送信すべきである。例えば、ロング・ターム・エボリューション（ＬＴＥ：Ｌｏｎｇ  Ｔｅｒｍ  Ｅｖｏｌｕｔｉｏｎ）において使用される事前符号化行列インデックス（ＰＭＩ：Ｐｒｅｃｏｄｉｎｇ  Ｍａｔｒｉｘ  Ｉｎｄｅｘ）／チャネル品質情報（ＣＱＩ：Ｃｈａｎｎｅｌ  Ｑｕａｌｉｔｙ  Ｉｎｆｏｒｍａｔｉｏｎ）／レート情報（ＲＩ：Ｒａｔｅ  Ｉｎｆｏｒｍａｔｉｏｎ）構造の上に構築されるフィードバック・メカニズムを仮定すると、動的クラスタリングについての自然のイネーブラは、各ＴＰについての三つ組、ＰＭＩ／ＣＱＩ／ＲＩに、異なるＴＰの間の位相差についての何らかのフィードバック信号を加えたものに、異なるＴＰの間の共同チャネルについてのＣＱＩ情報およびＲＩ情報を加えたものを送信する必要があることになる。
【００１３】
別の知見に基づいて、別の問題は、計算の複雑さである。実際のところ、クラスタリングと、スケジューリングとを共同で解決することは、非実用的な全−検索アルゴリズムの問題解決手法を必要とするであろう。欲張り−検索ベースの準最適アルゴリズムでさえも、ＷＯ  ２０１０／０１６８６５  Ａ１において示されるように、依然として計算の複雑さの観点から多くの労力を要するものとなる。これらの知見に基づいて、実施形態は、計算の複雑さの低減、および／またはフィードバックのオーバーヘッドを低下させることを提供することができる。
【００１４】
実施形態は、さらに、ＴＰのクラスタが、共通の参照信号を、すなわちある参照信号を使用することができ、この参照信号は、前記クラスタのＴＰに共通であるという知見に基づく。言い換えれば、１つのクラスタのＴＰは、同じ共通の参照信号を使用する。クラスタのＴＰは、さらに、それらが、モバイルに対して単一のセルとして見えることができるように、同じセル識別情報を使用することができる。言い換えれば、実施形態は、伝送ポイントのクラスタの組をランダムに生成し、またクラスタごとに参照信号を送信することができる。このオペレーションは、クラスタ・スケジューリングと称されることもある。クラスタのおのおののスケジュールされた組では、各ユーザからのフィードバックは、収集されることもあり、また最良ユーザは、ある種のメトリックに従ってスケジュールされることもある。参照信号が、クラスタごとに送信され、また伝送ポイントごとには送信されない可能性がある点で、実施形態は、さらにそれとともに以前の提案とは異なる可能性がある。同様にして、フィードバックは、クラスタごとに受信され、また伝送ポイントごとには受信されない可能性がある。別の違いは、中央ユニットにおいて、クラスタを生成するために使用されるメカニズムである。以前の提案が、各ＴＰにおいて、ＴＰをグループ分けするために受信されるフィードバックに依存するためのメカニズムを使用しているが、実施形態は、異なるメカニズムを使用して、クラスタを形成することができる。
【００１５】
実施形態は、モバイル通信システムにおける伝送ポイントを制御するための装置を提供しており、すなわち、実施形態は、基地局トランシーバまたはネットワーク・エンティティによって動作させられ、あるいは基地局トランシーバまたはネットワーク・エンティティに含まれるべき前記装置を提供することができる。モバイル通信システムは、例えば、移動通信用グローバル・システム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＧＳＭエボリューション用の拡張データ・レート（ＥＤＧＥ：Ｅｎｈａｎｃｅｄ  Ｄａｔａ  ｒａｔｅｓ  ｆｏｒ  ＧＳＭ  Ｅｖｏｌｕｔｉｏｎ）、ＧＳＭ  ＥＤＧＥ無線アクセス・ネットワーク（ＧＥＲＡＮ：ＧＳＭ  ＥＤＧＥ  Ｒａｄｉｏ  Ａｃｃｅｓｓ  Ｎｅｔｗｏｒｋ）、ユニバーサル地上波無線アクセス・ネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）または進化型ＵＴＲＡＮ（Ｅ−ＵＴＲＡＮ）、ロング・ターム・エボリューション（ＬＴＥ）またはＬＴＥ−進化型（ＬＴＥ−Ａ）、あるいは、異なる規格を、例えば、マイクロ波アクセスのためのワールドワイド・インターオペラビリティ（ＷＩＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）ＩＥＥＥ  ８０２．１６またはワイヤレス・ローカル・エリア・ネットワーク（ＷＬＡＮ：Ｗｉｒｅｌｅｓｓ  Ｌｏｃａｌ  Ａｒｅａ  Ｎｅｔｗｏｒｋ）ＩＥＥＥ  ８０２．１１、一般的に、時分割多元接続（ＴＤＭＡ：Ｔｉｍｅ  Ｄｉｖｉｓｉｏｎ  Ｍｕｌｔｉｐｌｅ  Ａｃｃｅｓｓ）、周波数分割多元接続（ＦＤＭＡ：Ｆｒｅｑｕｅｎｃｙ  Ｄｉｖｉｓｉｏｎ  Ｍｕｌｔｉｐｌｅ  Ａｃｃｅｓｓ）、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）などに基づいた任意のシステムを有するモバイル通信システムのような、第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）によって標準化されるモバイル通信システムのうちの１つに対応することができる。以下では、モバイル通信システムとモバイル通信ネットワークという用語は、同義語として使用される。
【００１６】
モバイル通信システムは、モバイル・トランシーバと無線信号を通信するように動作可能な複数の伝送ポイントを備える。実施形態においては、モバイル通信システムは、モバイル・トランシーバと、基地局トランシーバとを備えることができる。モバイル・トランシーバは、スマートフォン、セル電話、ユーザ機器、ラップトップ、ノートブック、パーソナル・コンピュータ、携帯型個人情報端末（ＰＤＡ：Ｐｅｒｓｏｎａｌ  Ｄｉｇｉｔａｌ  Ａｓｓｉｓｔａｎｔ）、ユニバーサル・シリアル・バス（ＵＳＢ：Ｕｎｉｖｅｒｓａｌ  Ｓｅｒｉａｌ  Ｂｕｓ）−スティック、自動車などに対応することができる。モバイル・トランシーバは、３ＧＰＰ専門用語に従ってユーザ機器（ＵＥ：Ｕｓｅｒ  Ｅｑｕｉｐｍｅｎｔ）またはユーザと称されることもある。基地局トランシーバは、ネットワークまたはシステムの固定された部分または静止した部分に位置する可能性がある。基地局トランシーバは、リモート無線ヘッド、伝送ポイント、アクセス・ポイント、マクロ・セル、スモール・セル、マイクロ・セル、フェムト・セル、メトロ・セルなどに対応することができる。基地局トランシーバは、有線ネットワークのワイヤレス・インターフェースとすることができ、このワイヤレス・インターフェースは、ＵＥまたはモバイル・トランシーバに対する、無線信号の伝送を可能にする。そのような無線信号は、例えば、３ＧＰＰによって標準化され、または一般に、上記でリストアップされたシステムのうちの１つまたは複数に従うように、無線信号に準拠することができる。したがって、基地局トランシーバは、ノードＢ（ＮｏｄｅＢ）、ｅノードＢ（ｅＮｏｄｅＢ）、ＢＴＳ、アクセス・ポイントなどに対応することができる。
【００１７】
モバイル通信システムは、モバイル・トランシーバと無線信号を通信するように動作可能な複数の伝送ポイントを備えている。さらに、モバイル通信システムは、モバイル・トランシーバと通信される無線信号を処理するように動作可能な複数の処理リソースを備える。装置は、伝送ポイントのクラスタを形成するための手段を備えており、伝送ポイントのクラスタは、複数の伝送ポイントを備えており、これらの伝送ポイントのおのおのは、共通の参照信号を使用する。
【００１８】
実施形態においては、共通の参照信号は、クラスタのＴＰによって送信される事前符号化された参照信号によって確立されることもある。言い換えれば、クラスタのＴＰによって送信される参照シンボルは、その位相調整または振幅調整の中で、事前符号化されることもあり、またはそれらの両方が、クラスタの１つまたは複数のＴＰにおいて実行される。さらに、１つのクラスタの複数のＴＰは、ある程度まで同期させられることが、仮定される。いくつかの実施形態においては、クラスタについて選択されるＴＰは、同期化させられるように、すなわち、スロットに同期化されるようにして、同じ参照信号を送信する。これらの信号が、モバイル・トランシーバにおいてコヒーレントに重ね合わされるかどうかは、次いで、ＴＰのおのおのと、それぞれのモバイルとの間の個別の無線チャネルに依存する。例えば、ＴＰは、第１の基地局のある種の第１のアンテナに対応することができ、またそれは、別の基地局の別のアンテナと組み合わされて、クラスタを形成することができる。そのように形成されたクラスタのカバレッジ・エリア全体を通して、日和見主義的なビーム形成が、確立されることもあり、これは、いくつかのロケーションにおいて、ＴＰの信号が、コヒーレントに重ね合わされる可能性があり、また他のロケーションにおいて、それらがインコヒーレントに重ね合わされる可能性もあることを意味している。後続のスケジューリングは、この日和見主義的なビーム形成を利用することができる。
【００１９】
いくつかの実施形態においては、装置、それぞれ形成するための手段は、クラスタについてのチャネル予測に基づいて、事前符号化重みを算出することができる。そのようなチャネル予測は、いくつかの実施形態においては、チャネル統計データ、チャネル・データ履歴などに基づいている。次いで、ＴＰは、事前符号化されたパイロット、または参照シンボルを送信することができる。事前符号化されたパイロットに基づいて、ＵＥは、共同無線チャネルを、まるでそれが、単一のＴＰだけによって確立されたかのように、測定し、または推定することができる。それに応じて、モバイル・トランシーバは、例えば、ＴＰ（単数または複数）に対するチャネル品質情報（ＣＱＩ：Ｃｈａｎｎｅｌ  Ｑｕａｌｉｔｙ  Ｉｎｆｏｒｍａｔｉｏｎ）チャネル・フィードバックの観点から、単一のＴＰの場合におけるように、チャネル品質についての情報を提供することができる。順に、装置は、共同の、または共通の無線チャネルに関するフィードバック情報に基づいて、ＴＰＣと、それとともにモバイル・トランシーバとをスケジュールすることができる。ＴＰＣは、事前符号化されたパイロットと、データとを一緒に送信することができる。
【００２０】
さらなる実施形態においては、クラスタの伝送ポイントは、同じセル識別情報を使用することができる。いくつかの実施形態においては、そのような同じセル識別情報は、共通の参照信号によって確立されることもあり、この参照信号については、後で、より詳細に説明されるであろう。形成するための手段は、クラスタ・フォーマ（ｃｌｕｓｔｅｒ  ｆｏｒｍｅｒ）に、すなわち、ＴＰのグループを形成して、クラスタを形成するデバイス、またはエンティティに対応する可能性がある。そのようなクラスタ・フォーマは、プロセッサ、制御装置、または他のハードウェアを使用して確立されることもあり、これらは、対応するコンピュータ・プログラムを実行することができる。さらなる実施形態においては、最適化技法を使用して、ＴＰの組をスケジュールして、クラスタを形成することができ、このクラスタはまた、ＴＰクラスタ（ＴＰＣ）と称されることもある。
【００２１】
モバイル・トランシーバは、ＴＰＣに関連する可能性があり、このＴＰＣは、ＴＰＣ−セルを確立することができる。ＴＰＣ−セルは、従来のセルとは異なる可能性があり、ＴＰＣ−セルは、複数のＴＰによって確立されることもある。セルという用語は、ＴＰＣ、ＴＰ、基地局トランシーバまたはノードＢ、ｅノードＢによってそれぞれ提供される無線サービスのカバレッジ・エリアのことを指す。いくつかの実施形態においては、セルは、セクタに対応することもある。例えば、セクタは、セクタ・アンテナを使用して達成される可能性があり、このセクタ・アンテナは、ＴＰまたは基地局トランシーバの周囲のアンギュラー・セクションを対象として含むための特性を提供する。いくつかの実施形態においては、ＴＰは、例えば、それぞれ１２０°（３つのセルの場合）、６０°（６つのセルの場合）のセクタを対象として含む３つまたは６つのセルを動作させることができる。モバイル・トランシーバは、セルに登録され、または関連づけられる可能性があり、その結果、モバイル・トランシーバは、データが、専用のチャネル、リンク、または接続を使用して、関連するセルのカバレッジ・エリアの中のネットワークと、モバイルとの間で交換され得るように、セルに関連づけられる可能性がある。形成するための手段は、モバイル通信システムセルの１つまたは複数のセル識別情報をＴＰに対して割り付け、また１つのセル識別情報をＴＰＣに対して割り付けるように動作可能とすることができる。
【００２２】
セルは、このようにして１つまたは複数のＴＰによって動作させられ、またカバレッジ・エリアとして見なされる可能性があり、このカバレッジ・エリアは、それぞれの識別情報を用いて、基準チャネルまたはブロードキャスト・チャネルを通して、例えば、パイロット・チャネルとして識別される可能性がある。モバイル・トランシーバが、ペイロード・データをセルに対して送信することができる前に、モバイル・トランシーバは、セルに登録し、関連づけ、または接続する必要がある。セルに登録されないモバイル・トランシーバは、いわゆるアイドル・モードにあり、登録されたモバイル・トランシーバは、アクティブ・モードまたは接続モードにある。３ＧＰＰ仕様の１つの顕著なプロトコルは、無線リソース制御（ＲＲＣ：Ｒａｄｉｏ  Ｒｅｓｏｕｒｃｅ  Ｃｏｎｔｒｏｌ）プロトコルであり、３ＧＰＰ仕様の技術仕様（ＴＳ）２５．３３１／３６．３３１シリーズを参照して欲しい。ＲＲＣは、モバイル・トランシーバの無線リソース管理のための複数のプロシージャをハンドオーバーシグナリング、測定構成、セル再選択、再構成などとして指定する。ひとたびモバイル・トランシーバが、それぞれのネットワーク・エンティティに対する、例えば、ＴＰ、ノードＢ、無線ネットワーク制御装置（ＲＮＣ：Ｒａｄｉｏ  Ｎｅｔｗｏｒｋ  Ｃｏｎｔｒｏｌｌｅｒ）、ｅノードＢなどに対するＲＲＣ接続を確立した後に、ネットワーク・エンティティは、それぞれのプロシージャをトリガすることができ、これは、何故関連するモバイル・トランシーバが、ＴＰに関連づけられるときに、ＲＲＣ接続モードにあるように称されることもあるかの理由である。
【００２３】
さらなる実施形態においては、伝送ポイントが、ブロードキャスト信号を送信するためのスクランブル・コードを使用して、それらのセル識別情報を示すように動作可能なように、装置は、伝送ポイントを制御するように動作可能とすることもでき、すなわち、ＴＰは、同じスクランブル・コードを使用する。他の実施形態においては、同じセルＩＤは、それぞれのシステム情報チャネルまたはブロードキャスト・チャネルの上の同一のセル識別情報の伝送など、他の技法を使用して提供されることもある。いくつかの実施形態においては、装置は、さらに、伝送ポイントが、モバイル・トランシーバに対して１つの無線セルのように見えるように、伝送ポイントを制御するように動作可能とすることができる。言い換えれば、装置は、伝送ポイントが、クラスタのカバレッジ・エリアの内部のモバイルに対して単一の無線セルとして見えるように、クラスタの伝送ポイントを制御することができる。そのような制御は、クラスタのＴＰについて１つの、また同じセル識別情報を使用すること、クラスタのＴＰの間のある種の同期化の必要性、および／またはクラスタの中で共通の参照信号を使用することを必要とすることもある。
【００２４】
いくつかの実施形態においては、装置は、さらに、伝送ポイントが、共通の参照信号を提供するように、伝送ポイントを制御するように動作可能とすることができる。共通の参照信号は、クラスタの伝送ポイントと、モバイル・トランシーバとの間で確立されている共同の無線チャネルが、モバイル・トランシーバにより、共通の参照信号に基づいて測定可能であるように、することができる。それゆえに、クラスタのＴＰは、共通の参照信号を、例えば、パイロットの信号またはチャネルを提供することができ、このパイロットの信号またはチャネルは、ある程度まで同期させられる。次いで、モバイル・トランシーバは、前記共通の参照信号を受信し、またクラスタのＴＰの共通の無線チャネルを測定し、または推定することができる。共通の参照信号は、セル特有の参照信号または復調参照信号に対応することができる。例えば、ＬＴＥネットワークにおいて、モバイルにおけるコヒーレントな復調とチャネル推定とを可能にするために、参照シンボルまたはパイロット・シンボルは、ＯＦＤＭの時間−周波数グリッドの中で使用される。
【００２５】
ダウンリンク参照シンボルは、ある種の間隔を伴って、時間ドメインに、例えば、各スロットの第１および第３の最後のＯＦＤＭシンボルに、また周波数ドメインの間隔を伴って、例えば、６番目のサブキャリアごとなど、ある種の番号のサブキャリアごとに、挿入される可能性がある。次いで、モバイル・トランシーバは、複数の参照シンボルの上に内挿されて、チャネルを推定することができる。参照シンボルは、複雑な値をしており、またそれらは、セルに従ってと同様に、シンボルの位置に従って決定されることもある。ＬＴＥ仕様は、２次元参照信号シーケンスとしてこれについて言及しており、この２次元参照信号シーケンスは、ＬＴＥセルの識別情報（ｉｄｅｎｔｉｔｙ）を示す。５１０個の異なるセル識別情報に対応して５１０個の参照信号シーケンスが存在している。参照信号は、２次元疑似ランダム・シーケンスと、２次元直交シーケンスとの積から導き出される。１７０個のセル−識別情報グループに対応する１７０個の異なる疑似ランダム・シーケンスが、存在しており、また３つの直交シーケンスは、おのおの、セル識別情報グループの内部の特定のセル識別情報に対応している。
【００２６】
例えば、異なる参照信号（ＲＳ：Ｒｅｆｅｒｅｎｃｅ  Ｓｉｇｎａｌ）のパラダイムは、セル−特有のＲＳ（ＣＲＳ）やユーザ−特有のＲＳなどの実施形態において使用されることもある。そのような選択肢は、マルチ・ユーザＭＩＭＯ（ＭＵ−ＭＩＭＯ）伝送や協調マルチ・ポイント（ＣｏＭＰ）伝送など、使用されるべきマルチ・アンテナ技法に依存する可能性があり、それらの技法のためには、事前符号化器（ｐｒｅｃｏｄｅｒｓ）を決定する際におけるかなりの柔軟性が、共同でスケジュールされたユーザの間の干渉を制限するために必要とされる。ユーザ−特有のＲＳは、同じ事前符号化器が、スケジューリング・ユニットの内部のユーザ−特有のＲＳとデータとについて使用される限り、ユーザに対するデータ伝送のための事前符号化器を決定する際に完全な自由度をＴＰＣに提供することによりその点に関して利点を提供することができる。伝送が実行されるやり方は、それゆえに、ユーザの観点からトランスペアレントになり、ユーザが、それについて知る必要なしに、２つの広く分離されたサイト（すなわち、ＣｏＭＰ）から送信信号にさえも柔軟性を提供している。
【００２７】
いくつかの実施形態は、ＬＴＥリリース１０のＲＳに準拠していることもあり、このＬＴＥリリース１０のＲＳは、復調とＣＳＩフィードバックとについての別個のＲＳに基づいている。復調参照信号（ＤＭＲＳ：ＤｅＭｏｄｕｌａｔｉｏｎ  Ｒｅｆｅｒｅｎｃｅ  Ｓｉｇｎａｌ）とも呼ばれるユーザ−特有のＲＳは、復調のために使用される可能性があるが、ユーザＣＳＩフィードバックを決定するためのチャネル推定測定は、セルの中のすべてのユーザによって一般的に共用されるいわゆるチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ）の上で実行される可能性がある。そのようなデュアル−ＲＳの概念を導入するための１つの理由は、復調が、一般的に、ＣＳＩフィードバックのために必要とされる推定値よりもずっとより正確なチャネル推定値を必要とすることを活用することである可能性がある。その結果として、ＤＭＲＳと、ＣＳＩ−ＲＳとの間に密度の違いが、存在する可能性があり、これは、ユーザに対する伝送ランクが、決してより高くはなく、また一般的に、送信アンテナの数よりもずっと低いことを活用することにより、信号オーバーヘッドをバランスさせる。
【００２８】
実施形態においては、装置は、さらに、モバイル・トランシーバから共同の無線チャネルの上のチャネル品質についての情報を受信するように動作可能とすることができる。言い換えれば、モバイル・トランシーバは、クラスタのＴＰの共通の参照信号または共同の参照信号に基づいてダウンリンク無線チャネルを測定し、または推定することができる。例えば、次いで、ＣＱＩは、クラスタの共同の無線チャネルまたは共通の無線チャネルに関して提供されることもある。装置は、さらに、共同の無線チャネルのチャネル品質についての情報に基づいて、モバイル・トランシーバと、伝送ポイントのクラスタとの間のデータ伝送のためにモバイル・トランシーバをスケジュールするように動作可能とすることができる。それゆえに、ひとたび共同の無線チャネルが、モバイル・トランシーバによって確立され、また測定され、または報告された後に、共同の無線チャネルの品質についての情報は、モバイル・トランシーバについてのスケジューリングの決定において使用される可能性がある。
【００２９】
実施形態においては、伝送ポイントのクラスタを形成するための手段は、クラスタについての伝送ポイントをランダムに選択するように動作可能とすることができる。他の実施形態においては、伝送ポイントのクラスタを形成するための手段は、１つまたは複数のクラスタの性能についての情報に基づいて、クラスタについての伝送ポイントを選択するように動作可能とすることができ、この１つまたは複数のクラスタは、過去に形成されている。それゆえに、上記のクラスタのデータまたは統計データの履歴は、現在のクラスタおよび／または将来のクラスタの形成についての決定を可能にするために評価されることもある。形成するための手段は、クラスタについての無線チャネル統計データについての情報を記憶するように動作可能とすることができる。すなわち、過去に形成されているクラスタの無線チャネル統計データと、とりわけこれらのクラスタが提供した共同の無線チャネルとに基づいて、現在または将来のクラスタが、形成される可能性がある。形成するための手段は、異なるクラスタについてのモバイル・トランシーバの性能についての情報を記憶するように動作可能とすることができる。
【００３０】
言い換えれば、過去のＴＰクラスタ・スケジューリングについての統計データを使用して、１つのＴＰクラスタの選択を別のものよりも上に異なるように重み付けすることができる。さらに、遺伝的最適化技法を使用して、ネットワークにおける変化にマッチするようにして、クラスタ選択を進化させることができる。さらに、いくつかの実施形態においては、形成するための手段は、異なるクラスタについてのモバイル・トランシーバの性能についての情報を記憶するように動作可能とすることができる。例えば、データ・レート情報は、ある種のクラスタについてのモバイルの性能尺度として記憶されることもある。実施形態において評価され得る他の性能尺度は、ビットまたはブロックのエラー・レート（ＢＥＲ：Ｂｉｔ  ｏｒ  Ｂｌｏｃｋ  Ｅｒｒｏｒ  Ｒａｔｅｓ）、フレーム・エラー・レート（ＦＥＲ：Ｆｒａｍｅ  Ｅｒｒｏｒ  Ｒａｔｅｓ）、再送信の数、パケット遅延などである。実施形態においては、装置は、さらに、クラスタの伝送ポイントが、モバイル・トランシーバと共同して通信するように動作可能であるように、伝送ポイントを制御するように動作可能とすることができる。すなわち、クラスタの伝送ポイントと、モバイル・トランシーバとの間で通信される信号は、共同して処理される可能性がある。
【００３１】
いくつかの実施形態においては、分離されたプロトコル・スタックが、モバイル通信システムの各セルについて実装される。さらに、そのようなアーキテクチャを使用して、複数のＴＰからの共同の受信（送信）は、異なるプロトコル・スタックの上の異なるＢＢＵによって復号されるべき、所与のユーザまたはモバイル・トランシーバの信号を伴う可能性がある。伝送ポイントを制御するための装置は、モバイル・トランシーバと通信される無線信号を一般に処理する処理リソースの組に対して、モバイル・トランシーバとの共同の通信のための伝送ポイントのクラスタを形成するため／動的に割り付けるための手段を備えることができ、伝送ポイントのそのクラスタは、１つまたは複数の伝送ポイントに対応している。実施形態においては、クラスタは、２つ以上の伝送ポイントの組を備えることができる。動的に割り付けるための手段は、割付器に、すなわち、リソースを割り付けるように動作可能であるデバイスに対応することができる。実施形態においては、割り付けるための手段は、プロセッサまたは制御装置あるいは任意のハードウェアとして実装されることもあり、このプロセッサまたは制御装置あるいは任意のハードウェアは、それに応じたコンピュータ・プログラムを実行するように動作可能である。
【００３２】
すなわち、装置は、伝送ポイントのクラスタに処理リソースを割り当てることができる。伝送ポイントのクラスタは、形成されて、モバイル・トランシーバと共同して通信することができ、すなわちクラスタの伝送ポイントは、協力してモバイル・トランシーバに対して送信する。さらに、伝送ポイントのクラスタは、処理リソースに関連づけられ、これらの処理リソースは、モバイル・トランシーバと通信される信号を処理する。実施形態においては、伝送ポイントは、無線フロント・エンドを備えることができ、また複数の伝送ポイント、すなわち、クラスタは、モバイル・トランシーバと無線信号を通信するための、いくつかの実施形態においてはセルラー方式とすることができる無線カバレッジ構造を確立することができる。複数の処理リソースは、中央ベース・バンド処理ユニットに位置することができ、この中央ベース・バンド処理ユニットは、複数の伝送ポイントに結合される。
【００３３】
実施形態は、同じＣ−ＲＡＮベース・バンド・プールに接続される異なる伝送ポイントの間の動的協調マルチ・ポイント（ＣｏＭＰ）調整を可能にすることができ、そこではベース・バンド・プールは、それぞれの処理リソースを備えている。実施形態においては、動的に割り付けるための手段は、モバイル・トランシーバについての伝送ポイントのクラスタの共通のベース・バンド・プロトコル・スタックの少なくとも一部分を処理するように処理リソースの組を割り付けるように動作可能とすることができる。他の実施形態においては、クラスタの共通のベース・バンド・プロトコル・スタックは、処理リソースの組によって処理されることもある。言い換えれば、動的割付けは、クラスタの中の、ある種のユーザに対するＣｏＭＰ伝送に参加するすべてのＴＰを収集することを可能にすることができ、このクラスタは、同じリソースによって一般に処理される可能性があり、またこのようにして単一のプロトコル・スタックを十分にする。
【００３４】
複数のＴＰは、クラスタにグループ分けされる可能性があり、また所与のＴＰは、異なるクラスタに属することができる。すなわち、形成するための手段は、伝送ポイントの少なくとも２つの異なるクラスタが、少なくとも２つのモバイル・トランシーバと通信するように動作可能であるように、伝送ポイントの少なくとも２つの異なるクラスタに少なくとも１つの伝送ポイントを割り付けるように動作可能とすることができる。形成するための手段は、さらに、処理リソースの少なくとも２つの異なる組に少なくとも１つの伝送ポイントを割り付けるように動作可能とすることもできる。形成するための手段は、さらに、少なくとも２つのモバイル・トランシーバに対する共同の通信のための処理リソースの同じ組に伝送ポイントの２つの異なるクラスタを割り付けるように動作可能とすることもできる。すなわち、同じ処理リソースはまた、異なるクラスタに割り付けられる可能性もある。
【００３５】
実施形態においては、クラスタは、ＵＥ−特有とすることができ、またスケジュールされるべきユーザまたはモバイル・トランシーバに応じて動的に形成される可能性がある。形成するための手段は、さらに、モバイル・トランシーバに特有の無線状態に基づいてモバイル・トランシーバと共同して通信するための伝送ポイントのクラスタを決定するように動作可能とすることもができる。すなわち、決定するための手段は、モバイル・トランシーバからのフィードバック情報を受信するように動作可能とすることができ、またそのフィードバック情報に基づいてクラスタについての伝送ポイントを決定することができる。実施形態においては、そのようなフィードバック情報は、チャネル状態情報、チャネル品質インジケータ、バッファ・ステータスなどのようなパラメータまたは測定結果を含むことができる。
【００３６】
実施形態においては、形成するための手段は、伝送ポイントのクラスタに、中央集中されたベース・バンド処理ユニットの仮想リソースを割り付けるように動作可能とすることができる。すなわち、仮想化技法を使用して、ハードウェア・リソースにクラスタを動的に割り付けることができ、これらのハードウェア・リソースは、例えば、ベース・バンド（ＢＢ：Ｂａｓｅ  Ｂａｎｄ）処理を担当することができる。言い換えれば、実施形態は、それとともに、所与のクラスタにＨＷリソースを静的に割り付ける必要がない可能性がある。それゆえに、伝送ポイントの組の内部の共同処理は、まさに、仮想ベース・バンド・チェーンのインスタンス化をアクティブにすることにより、またプールの中のハードウェア・リソースの適切な組にそれを割り付けることにより、実現されることもある。それゆえに、プロセッサのクラウドやプロセッサのファーム（ｆａｒｍ）など、中央集中されたＢＢ処理プールが、使用可能であることもある。処理ハードウェアは、プロセス、スレッドなどの仮想リソースに部分分割されることもある。次いで、仮想リソースは、クラスタに割り付けられる可能性があり、ここでクラスタ・サイズおよび伝送スキーム、データ・レート、無線ベアラの数などは、どれだけ多くの処理リソースが、それぞれ特定のクラスタ、ユーザのために必要とされるかを決定することができる。
【００３７】
実施形態においては、あるアーキテクチャが使用されることもあり、このアーキテクチャでは、「セル」の概念は、クラスタの概念によって再定義され、また置換される。処理リソースが、伝送ポイントの組またはクラスタに動的に割り付けられ得ることは、実施形態のさらなる知見である。これらの処理リソースは、ユーザの所与の組、すなわち、１つまたは複数のモバイル・トランシーバに対して共同して送信する（または１つまたは複数のモバイル・トランシーバから受信する）ために使用される可能性がある。
【００３８】
実施形態においては、所与のＴＰは、異なるＴＰの組に関連づけられるように動的に許可される可能性があり、また処理リソースの異なる組にそれに応じて動的に割り付けられる可能性がある。言い換えれば、処理リソースは、クラスタの負荷に比例するようにして、プールまたはＣｏＭＰクラスタに動的に割り付けられる可能性がある。実施形態は、それとともに、今日の３ＧＰＰリリース１０  ＬＴＥからのように「アンカー」ＴＰの概念を脱落させる可能性がある。実施形態は、ＵＥが、異なるＴＰの間で区別することができないようにして、パイロット構造を再定義することができる。言い換えれば、動的に割り付けるための手段は、クラスタの伝送ポイントが、モバイル・トランシーバに対して同じ識別情報を伴って現れるように、伝送ポイントのクラスタに対して識別情報を提供するように動作可能とすることができる。いくつかの実施形態においては、基本的な処理ユニットのようなセルは、伝送ポイント・クラスタ（ＴＰＣ：Ｔｒａｎｓｍｉｓｓｉｏｎ  Ｐｏｉｎｔ  Ｃｌｕｓｔｅｒ）により、すなわち、ユーザまたはユーザの組に共同してサービスするＴＰの組により脱落させられ、また置換されることもある。
【００３９】
ＴＰは、複数のＴＰＣクラスタに属することができる。すなわち、異なるユーザまたはモバイル・トランシーバは、異なるＴＰＣによってサービスされる可能性があり、ここで、ＴＰＣは、それらに属するすべてのＴＰにおいて異ならないこともあり、何らかのＴＰは、複数のＴＰＣに属することができる。それゆえに、形成するための手段は、ＴＰに対して少なくとも２つの異なる識別情報を提供するように動作可能とすることができ、このＴＰは、ＴＰの少なくとも２つのクラスタに属する。識別情報は、ＴＰによってブロードキャストされるパイロット信号のために使用されるスクランブル・シーケンスについての情報に対応することができる。実施形態においては、モバイル・トランシーバ装置はＴＰ、ＴＰＣ、または基地局トランシーバに関連づけられる可能性があり、この基地局トランシーバは、少なくとも１つのＴＰと、対応するＢＢ処理リソースとから構成される可能性がある。
【００４０】
実施形態は、さらにモバイル通信システムにおいて伝送ポイントを制御するための方法を提供している。モバイル通信システムは、モバイル・トランシーバと無線信号を通信するように動作可能な複数の伝送ポイントを備えている。本方法は、伝送ポイントのクラスタを形成するステップを含んでいる。伝送ポイントのクラスタは、複数の伝送ポイントを備えており、そのクラスタの伝送ポイントは、共通の参照信号を使用している。
【００４１】
実施形態は、さらに、コンピュータ・プログラムが、コンピュータまたはプロセッサの上で実行されるときに、上記方法のうちの１つを実行するためのプログラム・コードを有するコンピュータ・プログラムを提供している。
【００４２】
実施形態は、従来の概念に比べての信号の低減が、達成され得るという利点を提供することができ、ここで、モバイル・トランシーバは、複数のチャネル方向表示（ＣＤＩ：Ｃｈａｎｎｅｌ  Ｄｉｒｅｃｔｉｏｎ  Ｉｎｄｉｃａｔｉｏｎ）フィードバックを、例えば、ＴＰＣの中の各ＴＰごとに１つ、送信することができる。例えば、所与のＵＥにサービスするための２つの候補のＴＰを用いて、ＵＥは、一緒に送信する２つのＴＰを仮定して、第１のＴＰについてのフィードバックと、第２のＴＰについてのフィードバックと、共同チャネルについてのフィードバックとを送信することができる。さらに、２つのＴＰは、異なる参照信号シーケンスを用いて送信して、２つの分離されたチャネルの推定を可能にすることができる。実施形態は、クラスタごとのフィードバックと、クラスタごとの参照信号とを頼りにすることにより、シグナリングオーバーヘッドを低減させることができる。
【００４３】
さらに、実施形態は、クラスタ形成についての計算の複雑さを低減させることができる。実施形態は、所与のクラスタの組についてのユーザの良好な組を日和見主義的にスケジュールする利点を維持しながら、ユーザのスケジューリングと、クラスタリングとのタスクを切り離すことができる。
【００４４】
いくつかの他の特徴または態様は、例としてのみ、装置、および／または方法、および／またはコンピュータ・プログラムについての以下の非限定的な実施形態を使用して、また添付の図面を参照して、説明される。
【図面の簡単な説明】
【００４５】
【図１】伝送ポイントを制御するための装置の一実施形態を示す図である。
【図２】一実施形態として、複数のＴＰを有する通信ネットワークを示す図である。
【図３】制御するための方法の一実施形態についてのブロック図である。
【発明を実施するための形態】
【００４６】
様々な実施形態が、次に、添付図面を参照して、より詳細に説明されるであろう。図面においては、線、レイヤ、および／または領域の厚みは、明確にするために誇張されていることもある。
【００４７】
それに応じて、実施形態は、様々な修正形態と代替的な形態とすることもできるが、その実施形態は、図面の中で例として示され、また本明細書において詳細に説明されるであろう。しかしながら、実施形態を開示される特定の形態だけに限定する意図はないが、それどころか、実施形態は、本発明の範囲内に含まれるすべての修正形態と、同等形態と、代替形態とを対象として含むべきであることが、理解されるべきである。同様な番号は、図面の説明の全体を通して似た要素、または類似した要素のことを意味している。
【００４８】
ある要素が、別の要素に「接続され（ｃｏｎｎｅｃｔｅｄ）」ている、または「結合され（ｃｏｕｐｌｅｄ）」ていると称されるときに、その要素は、他の要素に直接に接続され、または結合される可能性もあり、あるいは介在する要素が存在していてもよいということが理解されよう。対照的に、ある要素が、別の要素に「直接に（ｄｉｒｅｃｔｌｙ）接続され」ている、または「直接に結合され」ていると称されるときには、介在する要素は存在していない。要素の間の関係を説明するために使用される他の言葉も、同様にして（例えば、「間に（ｂｅｔｗｅｅｎ）」に対して「直接に間に」、「隣接する（ａｄｊａｃｅｎｔ）」に対して「直接に隣接する」などと）、解釈されるべきである。
【００４９】
本明細書において使用される専門用語は、特定の実施形態を説明する目的のためだけであり、また例示の実施形態について限定することを意図してはいない。本明細書において使用されるとき、単数形の形式「１つの（ａ）」、「１つの（ａｎ）」、および「その（ｔｈｅ）」は、文脈が、明らかにそうでない場合を示していない限り、複数形の形式も含むことを意図している。用語「備える／含む（ｃｏｍｐｒｉｓｅｓ）」、「備えている／含んでいる（ｃｏｍｐｒｉｓｉｎｇ）」、「含む（ｉｎｃｌｕｄｅｓ）」、および／または「含んでいる（ｉｎｃｌｕｄｉｎｇ）」は、本明細書において使用されるときに、述べられた機能、整数、ステップ、オペレーション、要素、および／またはコンポーネントの存在を指定するが、１つまたは複数の他の機能、整数、ステップ、オペレーション、要素、コンポーネント、および／またはそれらのグループの存在または追加を除外するものではないことが、さらに理解されるであろう。
【００５０】
別の方法で規定されない限り、本明細書において使用される（技術的用語および科学的用語を含む）すべての用語は、実施形態が属する当業者によって一般に理解されるものと同じ意味を有する。用語は、例えば、一般に使用される辞書において定義されるこれらの用語は、関連のある技術の文脈におけるそれらの意味と整合している意味を有するものと解釈されるべきであり、また本明細書において明示的にそのように規定されない限り、理想化された、またはあまりにも形式的な意味では解釈されないことになることが、さらに理解されるであろう。
【００５１】
以下の説明においては、いくつかのコンポーネントは、同じ参照記号を持つ複数の図面の中で表示されることになるが、詳細には、複数回にわたって説明されないこともある。コンポーネントの詳細な説明は、そのときには、すべてのその発生についてそのコンポーネントに対して適用することができる。
【００５２】
実際の世界のシステムにおいて動的なリソース割付けを実現することは、チャネルの推定、検出、スケジューリングなどを担当する中央ユニットの存在についての仮定を修正することを必要とする可能性がある。ＣｏＭＰボックスの中で実行される論理機能が、異なる基板の間に分布している場合の分布型実装形態が、仮定される可能性がある。しかしながら、ＣｏＭＰ機能のこの分布は、常に維持できないこともあるレイテンシーを伴うこともある。
【００５３】
図１は、モバイル通信システム３００において、伝送ポイント２００、２１０、２２０、２３０を制御するための装置１０の一実施形態を示すものである。モバイル通信システム３００は、モバイル・トランシーバ４００と無線信号を通信するように動作可能な複数の伝送ポイント２００、２１０、２２０、２３０を備えている。装置１０は、伝送ポイントのクラスタ５００を形成するための手段１２を備えている。伝送ポイントのクラスタ５００は、複数の伝送ポイント２００、２１０を備えており、これらの伝送ポイントのおのおのは、共通の参照信号を使用する。共通の参照信号は、クラスタ５００のＴＰ  ２００、２１０に共通であることに注意すべきである。言い換えれば、ＴＰ  ２００、２１０は、同じ参照信号を提供する。クラスタ５００の伝送ポイント２００、２１０は、同じセル識別情報を使用する。ＴＰ  ２００と２１０とを備えているクラスタ５００は、例示の実施形態として理解されるべきであり、クラスタは、１つまたは複数のＴＰを備えることができることに注意すべきである。図１に示される実施形態において、装置１０は、伝送ポイント２００、２１０が、ブロードキャスト信号を送信するための同じスクランブル・コードを使用して、それらのセル識別情報を示すように動作可能であるように、伝送ポイント２００、２１０を制御するように動作可能である。装置１０は、伝送ポイント２００、２１０が、モバイル・トランシーバ４００に対して１つの無線セルとして見えるように、伝送ポイント２００、２１０を制御するように動作可能である。
【００５４】
本実施形態においては、ランダム・クラスタリングが、実行される。ランダム・クラスタリングの原理は、以下のように、要約される。
１．装置１０は、何らかのランダム・クラスタ５００を生成する。すなわち、伝送ポイント２００、２１０のクラスタ５００を形成するための手段１２は、クラスタ５００について伝送ポイント２００、２１０をランダムに選択するように動作可能である。
２．参照信号は、ステップ１におけるように、クラスタ５００の異なるＴＰ  ２００、２１０を通して送信される。すなわち、装置１０は、さらに、伝送ポイント２００、２１０が、クラスタ５００とモバイル・トランシーバ４００との伝送ポイント２００、２１０の間で確立されている共同の無線チャネルがモバイル・トランシーバ４００により共通の参照信号に基づいて測定可能であるように、共通の参照信号を提供するように、伝送ポイント２００、２１０を制御するように動作可能である。
３．フィードバックは、上記のステップ１からのように、クラスタ５００の中のランダムなＴＰ  ２００、２１０の組について、ユーザ、すなわちモバイル４００から受信される。すなわち、装置１０は、さらに、モバイル・トランシーバ４００から共同の無線チャネルの上のチャネル品質についての情報を受信するように動作可能である。
４．装置１０は、最も高く重み付けされた（例えば、比例した公正な係数によって重み付けされた）レートを用いて、ユーザをスケジュールする。すなわち、装置１０は、さらに、共同の無線チャネルのチャネル品質についての情報に基づいて、モバイル・トランシーバ４００と、伝送ポイント２００、２１０のクラスタ５００との間のデータ伝送のためにモバイル・トランシーバ４００をスケジュールするように動作可能である。
【００５５】
実施形態は、非常に低い量のフィードバックを用いて、例えば、信号対干渉雑音比（ＳＩＮＲ：Ｓｉｇｎａｌ−ｔｏ−Ｉｎｔｅｒｆｅｒｅｎｃｅ−ａｎｄ−Ｎｏｉｓｅ  Ｒａｔｉｏ）報告だけを用いて、例えば、日和見主義的なビーム形成の使用により、何らかの人工的な高速フェージングを生成することができる。実施形態は、ランダムに選択されたＴＰではなくてＴＰのいくつかの所定の組を使用するために拡張されることもある。
【００５６】
図１に示される実施形態においては、共通の参照信号は、セル−特有の参照信号（ＣＳ−ＲＳ）または復調参照信号（ＤＭＲＳ）に対応する。実施形態は、複数のクラスタに対してこの原理を適用することができる。概念を説明するために、いくつかの予備的な定義が、与えられる。
【００５７】
クラスタ５００またはＴＰクラスタ５００は、送信および／または受信のために協力するＴＰ  ２００、２１０のサブセットである。クラスタの組をスケジュールすることは、同じクラスタ５００の内部のＴＰ  ２００、２１０が、共同の送信または受信を使用するように、同じ時間／周波数／空間のリソースの上で送信／受信のためのＴＰクラスタの組を選択するプロセスのことを指す。装置１０は、さらに、クラスタ５００の伝送ポイント２００、２１０が、モバイル・トランシーバ４００と共同して通信するように動作可能であるように、伝送ポイント２００、２１０を制御するように動作可能である。クラスタ５００と、モバイル・トランシーバ４００との伝送ポイント２００、２１０の間で通信される信号は、共同して処理される。
【００５８】
クラスタ５００のスケジューリングは、ユーザ４００のスケジューリングに緊密に接続されており、すなわち、クラスタ５００へとグループ分けするＴＰ  ２００、２１０の選択は、これらのクラスタ５００の内部で伝送のためにスケジュールされるユーザ４００に接続される。
【００５９】
図２は、一実施形態として、複数のＴＰ  ２００、２１０、２２０、２３０、２４０、および２５０を有する通信ネットワーク３００を示すものである。図２は、ＴＰそれら自体の表現としてＴＰのカバレッジ・エリアを示すものである。上記で説明されるような装置１０は、ＴＰの任意の１つに含まれることもある。いくつかの実施形態においては、装置１０は、中央ユニットに位置していることができ、この中央ユニットは、ＴＰに結合される。他の実施形態においては、装置１０は、複数のＴＰの中に、またはすべてのＴＰの中にさえも含まれることもある。図２は、オーバーラップしており、また異なるサイズのカバレッジ・エリア２００、２１０、２２０、２３０、２４０、および２５０を示すものである。通信ネットワーク３００は、異なるカバレッジ・エリアを有する複数のＴＰを有する異機種ネットワーク（ＨｅｔＮｅｔ：Ｈｅｔｅｒｏｇｅｎｅｏｕｓ  Ｎｅｔｗｏｒｋ）として見られる可能性がある。
【００６０】
以下では、同じクラスタのＴＰは、「［］」の間に示される。さらに、伝送のためにスケジュールされるクラスタの組は、「｛｝」の間に示される。
【００６１】
例えば、図２を参照すると、以下のクラスタは、ＴＰ  ２００を含めて構築される可能性がある。
［２００］、［２００，２２０］、［２００，２１０，２２０］、．．．。
クラスタ［２００，２２０］は、
｛［２００，２２０］，［２１０］，［２３０，２４０，２５０］｝
または
｛［２００，２２０］，［２１０］，［２３０，２５０］｝
としてスケジュールされる可能性があり、ここで後者のクラスタ・スケジューリングは、ＴＰ  ２４０が、オフ（ＯＦＦ）にされていることを暗示する。
【００６２】
ＬＴＥ通信ネットワーク３００の実施形態のプロシージャは、以下のように要約される可能性がある。
１．装置１０は、中央ユニットに位置していることが仮定される。装置１０を有する論理ユニットは、ＴＰのクラスタを生成し、また伝送のためにそれらをスケジュールする。言い換えれば、中央ユニットは、ＴＰのいくつかのクラスタを伝送のためにランダムにグループ分けする。共同の処理が、各クラスタの内部で実行される。
２．形成される各クラスタごとに、参照信号は、クラスタの中の各ＴＰによって送信される。同じクラスタに属するＴＰは、ユーザまたはモバイル・トランシーバが、それらの間で区別するが、共同のチャネルを推定することだけができる可能性があるようにして、同じスクランブル・シーケンスを使用する。例えば、リリース１０においては、同じクラスタに属するＴＰは、同じポートを使用することができる。用語「ポート」は、物理レイヤ・インターフェース、アンテナの仮想の組、アンテナのある種の重み付けられた組合せ、ある種のアンテナ識別情報、それらの組合せなどのことを意味することができる。ポートという用語は、少なくともある程度まで、クラスタのＴＰは、それらが、クラスタによってサービスされるモバイル・トランシーバに対する１つのセルとして、現れ、また送信され、かつ／または受信される信号の共同処理が、イネーブルにされるように、調整されることを示すべきである。
３．モバイル・トランシーバは、クラスタの複数のＴＰによって確立される共同の無線チャネルについての情報として各クラスタごとに、例えば、ＳＩＮＲフィードバックを送信する。
４．共同の無線チャネルの品質についての情報、例えば、ＳＩＮＲフィードバックに基づいて、論理中央ユニットは、上記で決定されるように、クラスタリングを使用してユーザをスケジュールする。
【００６３】
さらに別の実施形態においては、ＴＰは、１つまたは複数の基地局トランシーバの複数のアンテナのうちの１つのアンテナに対応することができる。例えば、おのおのが、異なるアンテナに対応する４つのＴＰ、すなわちＴＰ１、ＴＰ２、ＴＰ３、およびＴＰ４が、規定される可能性がある。異なるアンテナは、異なる基地局に属する可能性がある。言い換えれば、例示の一実施形態においては、４つのＴＰ、すなわちＴＰ１、ＴＰ２、ＴＰ３、およびＴＰ４は、おのおのが、異なる基地局トランシーバの異なるアンテナに対応するように規定される可能性がある。
【００６４】
ＴＰに基づいて、以下のポートは、以下のクラスタに対して規定される可能性がある。
ポート１：  ＴＰ１＋ＴＰ２、
ポート３：  ＴＰ３＋ＴＰ４、
ポート５：  ＴＰ１＋ＴＰ３、
ポート７：  ＴＰ２＋ＴＰ４。
【００６５】
上記の例においては、１つのポートは、１つのクラスタに対応することができる。すなわち、クラスタは、ある種のポートを使用してアドレス指定されることもある。次いで、ポートは共通の参照シンボルを送信するために使用され得る。
【００６６】
さらなる実施形態は、クラスタを最適化すること、または改善することにより、クラスタの上記のランダムな決定を拡張することができる。最適化技法を使用して、ＴＰクラスタの組をスケジュールすることができる。図１を参照すると、伝送ポイントのクラスタを形成するための手段１２は、過去に形成されている１つまたは複数のクラスタの性能についての情報に基づいて、クラスタ５００についての伝送ポイント２００、２１０を選択するように動作可能とすることができる。形成するための手段１２は、例えば、クラスタ５００についての無線チャネル統計データについての情報を記憶するように動作可能とすることができる。実際のところ、過去のＴＰクラスタ・スケジューリングについての統計データを使用して、１つのＴＰクラスタの選択を別のものよりも上に異なるように重み付けすることができる。さらに、遺伝的最適化技法を使用して、ネットワークにおける変化にマッチするようにして、クラスタの選択を進化させることができる。形成するための手段１２は、異なるクラスタ５００についてのモバイル・トランシーバ４００の性能についての情報を記憶するように動作可能とすることができる。それゆえに、ある種のクラスタについての性能統計データは、記憶され、また新しいクラスタを形成するときに活用されることもある。
【００６７】
例えば、上記プロセスの中のステップ１は、論理中央ユニットが、過去のＴＰクラスタについての情報と、チャネル統計データに基づいたチャネル予測とに基づいて、ＴＰのクラスタを生成するように、修正される可能性がある。共同の処理が、各クラスタの内部で仮定される。
【００６８】
図３は、モバイル通信システム３００において、伝送ポイント２００、２１０、２２０、２３０、２４０、２５０を制御するための方法についての一実施形態のブロック図を示すものである。モバイル通信システム３００は、モバイル・トランシーバ４００と無線信号を通信するように動作可能な複数の伝送ポイント２００、２１０、２２０、２３０、２４０、２５０を備えている。本方法は、伝送ポイント２００、２１０のクラスタ５００を形成するステップ２２を含んでおり、伝送ポイント２００、２１０のクラスタ５００は、複数の伝送ポイント２００、２１０を備えており、クラスタ５００の伝送ポイント２００、２１０は、共通の参照信号を使用している。
【００６９】
上記に従って、本方法のさらなる実施形態は、クラスタ５００の伝送ポイント２００、２１０と、モバイル・トランシーバ４００との間で確立されている共同の無線チャネルが、モバイル・トランシーバ４００により、共通の参照信号に基づいて測定可能であるように、共通の参照信号を提供するステップを含むことができる。本方法は、モバイル・トランシーバ４００から、共同の無線チャネルの上のチャネル品質についての情報を受信するさらなるステップを含むことができる。また、本方法は、共同の無線チャネルのチャネル品質についての情報に基づいてモバイル・トランシーバ４００と、伝送ポイント２００、２１０のクラスタ５００との間のデータ伝送のためにモバイル・トランシーバ４００をスケジュールするさらなるステップを含むことができる。
【００７０】
実施形態は、さらに、コンピュータ・プログラムが、コンピュータまたはプロセッサの上で実行されるときに、上記方法のうちの１つを実行するためのプログラム・コードを有するコンピュータ・プログラムを提供することができる。
【００７１】
当業者なら、様々な上記で説明された方法のステップが、プログラムされたコンピュータによって実行され得ることを簡単に認識するであろう。本明細書においては、いくつかの実施形態はまた、プログラム・ストレージ・デバイス、例えば、デジタル・データ・ストレージ媒体を対象として含むことを意図しており、これらのプログラム・ストレージ・デバイスは、マシン読取り可能、またはコンピュータ読取り可能であり、また命令のマシン実行可能なプログラム、またはコンピュータ実行可能なプログラムを符号化しており、そこでは前記命令は、前記上記で説明された方法のステップのうちの一部または全部を実行する。プログラム・ストレージ・デバイスは、例えば、デジタル・メモリ、磁気ディスクや磁気テープなどの磁気ストレージ媒体、ハード・ドライブ、または光学的に読取り可能なデジタル・データ・ストレージ媒体とすることができる。それらの実施形態はまた、上記で説明された方法の前記ステップを実行するようにプログラムされるコンピュータ、あるいは上記で説明された方法の前記ステップを実行するようにプログラムされた、（フィールド）プログラマブル・ロジック・アレイ（（Ｆ）ＰＬＡ：（ｆｉｅｌｄ）ｐｒｏｇｒａｍｍａｂｌｅ  ｌｏｇｉｃ  ａｒｒａｙｓ）または（フィールド）プログラマブル・ゲート・アレイ（（Ｆ）ＰＧＡ：（ｆｉｅｌｄ）  ｐｒｏｇｒａｍｍａｂｌｅ  ｇａｔｅ  ａｒｒａｙｓ）を対象として含むことも意図している。
【００７２】
本説明および図面は、単に本発明の原理を例証しているにすぎない。したがって、当業者なら、本明細書において明示的に説明されてもおらず、または示されてもいないが、本発明の原理を具現化し、また本発明の趣旨および範囲の内部に含まれる様々な構成を工夫することができるようになることが、理解されるであろう。さらに、本明細書において列挙されるすべての例は、本発明の原理と、当技術を推進するために、本発明者（単数または複数）によって寄与される概念とを理解するに際して読者を助ける教育上の目的のためにすぎないことを原理的に、明示的に、意図しており、またそのような具体的に列挙された例および状態だけに限定することのないように解釈されるべきである。さらに、本発明の原理、態様、および実施形態を列挙している、本明細書におけるすべての記述、ならびにその特定の例は、その同等形態を包含することも意図している。
【００７３】
「．．．するための手段」として示される（ある種の機能を実行する）機能ブロックは、それぞれある種の機能を実行するよう（ｆｏｒ  ｐｅｒｆｏｒｍｉｎｇ）に、または実行するように（ｔｏ  ｐｅｒｆｏｒｍ）適合されている回路を備える機能ブロックとして理解されるべきである。それゆえに、「第ｓのための手段」は、「第ｓのために適合されており、または第ｓのために適している手段」として同様に理解されることもある。ある種の機能を実行するように適合されている手段は、それゆえに、そのような手段が、必ずしも前記機能を（所与の瞬間に）実行していることを意味しているとは限らない。
【００７４】
「手段」、「形成するための手段」、「決定するための手段」、「割り付けるための手段」などとラベル付けされる任意の機能ブロックを含めて、図面の中に示される様々な要素の機能は、「フォーマ」、「決定器」、「割付器」などの専用のハードウェア、ならびに適切なソフトウェアと関連してソフトウェアを実行することができるハードウェアの使用を通して提供されることもある。プロセッサによって提供されるときに、それらの機能は、単一の専用のプロセッサにより、単一の共用プロセッサにより、またはそれらのプロセッサのうちのいくつかが、共用され得る複数の個別のプロセッサにより、提供されることもある。さらに、用語「プロセッサ」または「制御装置」の明示的な使用は、ソフトウェアを実行することができるハードウェアだけを排他的に指すように解釈されるべきではなく、また限定することなく、デジタル信号プロセッサ（ＤＳＰ：ｄｉｇｉｔａｌ  ｓｉｇｎａｌ  ｐｒｏｃｅｓｓｏｒ）ハードウェアと、ネットワーク・プロセッサと、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）と、フィールド・プログラマブル・ゲート・アレイ（ＦＰＧＡ）と、ソフトウェアを記憶するためのリード・オンリー・メモリ（ＲＯＭ：ｒｅａｄ  ｏｎｌｙ  ｍｅｍｏｒｙ）と、ランダム・アクセス・メモリ（ＲＡＭ：ｒａｎｄｏｍ  ａｃｃｅｓｓ  ｍｅｍｏｒｙ）と、不揮発性ストレージとを暗黙のうちに含むことができる。他のハードウェアが、従来のものおよび／またはカスタムも、含められることもある。同様に、図面に示される任意のスイッチは、概念的なものにすぎない。それらの機能は、プログラム・ロジックのオペレーションを通して、専用のロジックを通して、プログラム制御と専用のロジックとの相互作用を通して、または手動でさえも実行されることもあり、特定の技法は、文脈からもっと具体的に理解されるように、実装者によって選択可能である。
【００７５】
本明細書における任意のブロック図は、本発明の原理を具現化する実例となる回路の概念図を表すことが、当業者によって理解されるべきである。同様に、任意のフロー・チャートと、流れ図と、状態遷移図と、疑似コードなどとは、コンピュータ読取り可能媒体の形で実質的に表され得る様々なプロセスを表し、またそのようにしてそのようなコンピュータまたはプロセッサが、明示的に示されているか否かにかかわらず、コンピュータまたはプロセッサによって実行されることが、理解されるであろう。
【図１】
2015513849.tif 000003
【図２】
2015513849.tif 000004
【図３】
2015513849.tif 000005
【国際調査報告】
2015513849.tif 000006
2015513849.tif 000007
2015513849.tif 000008
2015513849.tif 000009
2015513849.tif 000010